(57)【特許請求の範囲】
【請求項１】
化粧料収容部を備える容器本体と、蝶番部を介して前記容器本体に開閉可能に取り付けられる蓋体とを有し、蓋開封機構の操作部を操作することにより閉塞状態の蓋体を開封して用いる化粧料容器であって、
前記操作部の移動領域に、香料が封入された圧力崩壊性を有するマイクロカプセルを多数保持した芳香シート片が取り付けられており、前記操作部による前記蓋体の開封操作毎に、前記操作部からの圧力を受けて前記多数のマイクロカプセルが一部ずつ崩壊して香料を放出する化粧料容器。
【請求項２】
前記蓋開封機構の操作部は、押圧操作することにより前記蓋体を開封させる押圧ピースであり、前記芳香シート片は、前記押圧ピースの押圧方向と対向する面に取り付けられている請求項１記載の化粧料容器。
【請求項３】
前記化粧料収容部は、前記容器本体に着脱交換可能に装着されるレフィル容器による収容部であり、前記芳香シート片は、前記レフィル容器の外周面に取り付けられている請求項２記載の化粧料容器。
【発明の詳細な説明】
【技術分野】
【０００１】
本発明は、化粧料容器に関し、特に、化粧料の収容部を備える容器本体と、蝶番部を介して前記容器本体に開閉可能に取り付けられる蓋体とからなり、蓋開封機構の操作部を操作することにより閉塞状態の蓋体を開封して用いる化粧料容器に関する。
【背景技術】
【０００２】
ファンデーション、チーク、アイシャドウ等の化粧料を収容する化粧料容器として、化粧料の収容部を備える容器本体と、蝶番部を介して容器本体に開閉可能に取り付けられる蓋体とからなるコンパクトケース等が知られている（例えば、特許文献１、特許文献２参照）。また、化粧料に特定の香料を含ませることで、化粧を施してから長期間（化粧料が塗布されている間）、香りを漂わせるものがある（例えば特許文献３参照）。
【特許文献１】特開２００２−２２３８４３号公報
【特許文献２】特開２００７−２０６５１号公報
【特許文献３】特開２００３―２３８３７５号公報
【発明の開示】
【発明が解決しようとする課題】
【０００３】
化粧料に香りを付けた場合、化粧を施してから化粧を落とすまでの間、長時間に亘って常に香りが漂うことになるため、かえって不快感を与える場合がある。また、近年のように、香水やアロマセラピーによって香りを楽しむ場合に、化粧料の香りがこれらの香りと混ざったり、邪魔をすることとなり、各香料のもつ効果を十分に発揮できない可能性がある。
【０００４】
本発明は、化粧を施そうとする際に、特別な他の操作を要することなく香料を放出して香りを漂わせることができ、香りによる快適感を高めて心地良く化粧を行うことのできる化粧料容器を提供することを目的とする。
【課題を解決するための手段】
【０００５】
本発明は、化粧料収容部を備える容器本体と、蝶番部を介して前記容器本体に開閉可能に取り付けられる蓋体とを有し、蓋開封機構の操作部を操作することにより閉塞状態の蓋体を開封して用いる化粧料容器であって、前記操作部の移動領域に、香料が封入された圧力崩壊性を有するマイクロカプセルを多数保持した芳香シート片が取り付けられており、前記操作部による前記蓋体の開封操作毎に、前記操作部からの圧力を受けて前記多数のマイクロカプセルが一部ずつ崩壊して香料を放出する化粧料容器を提供することにより、上記目的を達成したものである。
【発明の効果】
【０００６】
本発明の化粧料容器によれば、蓋体を開封する操作を行う毎に、特別な他の操作を要することなく香料を放出して香りを漂わせることができ、特に化粧を施そうとする際に、香りによる快適感を高めて心地良く化粧を行うことができる。
【発明を実施するための最良の形態】
【０００７】
図１及び図２に示す本発明の好ましい一実施形態に係る化粧料容器１０は、例えば化粧料１６としてファンデーションを容器本体１１の化粧料収容部１２に収容し、塗布具１７としてスポンジ状のパフを容器本体１１の塗布具収容部１３に収容してなる、略矩形の平面形状を有する扁平でコンパクトな形状のコンパクト容器である。本実施形態の化粧料容器１０は、略矩形の平面形状の一方の長辺部分に設けられた蝶番部１４を介して容器本体１１に開動可能に取り付けられた蓋体１５を開封して、塗布具収容部１３から塗布具１７を取り出し、取り出した塗布具１７を用いて化粧料収容部１２の化粧料１６を擦り取って、肌面等に塗布して使用する。また本実施形態の化粧料容器１０では、容器本体１１の蝶番部１４とは反対側の他方の長辺部分の中央部分に設けられた蓋開封機構１８の操作部１９による蓋体１５の開封操作に伴って、香料を放出して香りを漂わせることを可能にする機能を備えている。
【０００８】
そして、本実施形態の化粧料容器１０は、図３（ａ），（ｂ）にも示すように、閉蓋状態で化粧料容器１０の蓋体１５に面して凹形状の化粧料収容部１２を備える容器本体１１と、蝶番部１４を介して容器本体に開閉可能に取り付けられる蓋体１５とを有し、蓋開封機構１８の操作部１９を操作することにより閉塞状態の蓋体１５を開封して用いるコンパクト容器であって、操作部１９の移動領域に、香料が封入された圧力崩壊性を有するマイクロカプセルを多数保持した芳香シート片２０が取り付けられており、操作部１９による蓋体１５の開封操作毎に、操作部１９からの圧力を受けて多数のマイクロカプセルが一部ずつ崩壊して香料を放出することにより、収容された化粧料１６による化粧を施す際に香料による香りを漂わせるようになっている。
【０００９】
また、本実施形態では、蓋開封機構１８の操作部１９は、押圧操作することにより蓋体１５を開封させる押圧ピースとしてのフックピース２１であり、芳香シート片２０は、フックピース２１の押圧方向Ｘと対向する面として、化粧料収容部１２の側壁部２２ａの外周面に取り付けられている。
【００１０】
さらに、本実施形態では、化粧料収容部１２は、容器本体１１に着脱交換可能に装着されるレフィル容器２２により構成され、芳香シート片２０は、レフィル容器２２の側壁部２２ａの外周面に取り付けられており、レフィル容器２２を交換する際に芳香シート片２０もまた交換されるようになっている。
【００１１】
本実施形態では、容器本体１１は、合成樹脂製の成形部品であって、例えば縦５０〜１２０ｍｍ、横５０〜１２０ｍｍ程度の大きさの略矩形の平面形状を有すると共に、例えば１５〜３０ｍｍ程度の厚さで形成されている。容器本体１１は、その底板１１ａによる底面が平坦な閉塞面となっていると共に、その上面が開口面として開口していて、周壁１１ｂによって４方を囲まれた凹部２３を形成している。また凹部２３は、仕切り壁２４によって左右に略２等分割されており、その一方の凹部が塗布具１７を収容する塗布具収容部１３を形成していると共に、他方の凹部がレフィル容器２２を着脱交換可能に嵌着させるレフィル収納凹部２５を形成している。
【００１２】
なお、レフィル容器２２は、化粧料１６を充填封入した簡易な皿状の内容器であって、容器本体１１のレフィル収納凹部２５に交換可能に取り付けて用いる補充容器である。レフィル容器２２は、当該レフィル容器２２のみを交換しつつ容器本体１１を再使用させることを可能にし、収容した化粧料が無くなると廃棄するタイプの化粧料容器と比較して、化粧料容器１０を長期間に亘って経済的に使用することを可能にする。レフィル容器２２をレフィル収納凹部２５に着脱交換可能に嵌着させる機構は、公知のものを適宜採用することができる。
【００１３】
蝶番部１４を介して容器本体１１に開閉可能に取り付けられる蓋体１５は、容器本体１１と略同様の略矩形の平面形状を有する合成樹脂製の平板状の成形部品である。蓋体１５は、その一方の長辺部分の中央部分に枢着部２６を有している。蝶番部１４において、枢着部２６を介して容器本体１１に支持された軸ピン２７に枢着されることにより（図１参照）、蓋体１５が容器本体１１に対して回動可能に取り付けられる。
【００１４】
また、蓋体１５の枢着部２６とは反対側の他方の長辺部分には、これの中央部分に、容器本体１１に設けられた蓋開封機構１８に着脱可能に係止される係着爪２８が設けられている。さらに、蓋体１５の内側面には、これの略全域を覆う大きさの鏡２９が取り付けられている。
【００１５】
本実施形態では、蓋体１５の係着爪２８が着脱可能に係止される蓋開封機構１８は、例えば実開平６―７２５０６、特開平８―２５６８２５公報等に記載される公知の開封機構であり、蓋体１５の係着爪２８に対応する位置として、容器本体１１における蝶番部１４とは反対側の他方の長辺部分の中央部分に設けられている。蓋開封機構１８は、容器本体１１の他方の長辺部分の周壁１１ｂの中央部分を切り欠いた領域（周壁１１ｂを容器本体の内側に陥没させた領域）である係着切欠き部３０の内部に配設される。また蓋開封機構１８は、周壁１１ｂの一部であって係着切欠き部３０と容器本体１１の凹部２３とを仕切るフック対向周壁部３１の上部において、係着切欠き部３０側（凹部２３と反対側）に突出して設けられた係着突起３２や、フック対向周壁部３１側からの付勢力に抗してフック対向周壁部３１に向けて（凹部２３に向けて）進退するフックピース２１等を含んで構成されている。
【００１６】
そして、蓋開封機構１８は、図３（ａ）に示す係着爪２８を係着突起３２に係止して蓋体１５を閉塞している状態から、フックピース２１を外側からフック対向周壁部３１側に向けて押圧操作することにより、フックピース２１の押上げ片３３によって係着爪２８を押し上げ、係着突起３２との係止を解除させることにより、図３（ｂ）に示すように、蓋体１５を上方に回動させて開封することができるようになっている。
【００１７】
また、本実施形態では、係着切欠き部３０やフック対向周壁部３１は、容器本体１１の凹部２３における仕切り壁２４を挟んだ両側の、塗布具収容部１３及びレフィル収納凹部２５に跨る長さで容器本体１１の他方の長辺部分の中央部分に設けられている。またレフィル収納凹部２５との間を仕切る部分のフック対向周壁部３１には、フックピース２１の押圧突片３４を進退可能に挿通させる押圧用挿通開口３５が貫通形成されている。
【００１８】
本実施形態では、操作部１９を構成する押圧ピースとしてのフックピース２１は、押圧片３６と、スライド片３７とからなる略Ｌ字断面形状を有すると共に、スライド片３７から斜め上方に向けて突出する押上げ片３３を備えている。また、スライド片３７のフック対向周壁部３１に形成された押圧用挿通開口３５と対応する部分には、押圧突片３４が当該押圧用挿通開口３５に挿通可能に突出して設けられている。押圧突片３４は、押圧片３６をフック対向周壁部３１側に押圧することによるフックピース２１の押圧操作によって、押圧用挿通開口３５を貫通してその先端がレフィル収納凹部２５の内側に突出する。これによって、フックピース２１の押圧突片３４は、当該レフィル収納凹部２５に嵌着されたレフィル容器２２の、当該押圧突片３４の押圧方向Ｘと対向する面を構成する、側壁部２２ａの外周面のフック対向周壁部３１に近接する部分に当接する。
【００１９】
そして、本実施形態では、押圧突片３４が当接するレフィル容器２２の側壁部２２ａの外周面であって、フック対向周壁部３１に形成された押圧用挿通開口３５に対向する位置（仕切り壁２４に近接する部分）には、香料が封入された圧力崩壊性を有するマイクロカプセルを多数保持した芳香シート片２０が取り付けられている。したがって、本実施形態では、蓋体１５を開封させるためのフックピース２１の押圧操作によって、レフィル容器２２に取り付けられた芳香シート片２０に保持された多数のマイクロカプセルの一部を崩壊させて、封入された香料による香りを発散させることができるようになっている。
【００２０】
レフィル容器２２の側壁部２２ａの外面に取り付けられた芳香シート片２０は、例えば登録実用新案第３０５４２５１号公報に記載された、織布、不織布、多孔紙等の、シートを構成する素材間に空隙を有する基材シートの表面部分や内部に、香料が封入された圧力崩壊性を有する粒子であるマイクロカプセルを多数保持してなり、当該シートに圧力を加えることにより、マイクロカプセルを一部づつ崩壊させて、封入された香料による香りを発散させることが可能な感圧芳香シートを、適宜の大きさに裁断して用いることができる。また芳香シート片２０は、例えば接着剤等を介して、レフィル容器２２の外周面の所望の位置に容易に取り付けることができる。
【００２１】
ここで、マイクロカプセルに封入される香料成分としては、「香料の化学」（赤星亮一著、日本化学会編，産業化学シリーズ，昭和５８年９月１６日発行）や「合成香料 化学と商品知識  増補改訂版」（印藤 元一著、化学工業日報社、２００５年３月２２日発行）や「香料と調香の実際知識」（中島 基貴著、産業図書（株）、１９９５年６月２１日発行）に記載のものを用いることができる。それらの具体例としては、リモネン、リナロール、ゲラニオール、シトロネロール、フェニルエチルアルコール、３−メチル−５−フェニルペンタノール、２−メチル−４−（２，２，３−トリメチル−３−シクロペンテン−１−イル）−２−ブテン−１−オール（商品名＝サンダルマイソルコア／花王）、ヘキサメチルヘキサヒドロシクロペンタベンゾピラン（商品名＝ガラクソライド／アイエフエフ社）、シトラール、バニリン、ヘキシルシンナミックアルデヒド、３−（３，４−メチレンジオキシフェニル）−２−メチルプロパナール（商品名＝ヘリオナール／アイエフエフ社）、３，４−メチレンジオキシ  ベンズアルデヒド（通称＝ヘリオトロピン）、４−ｔｅｒｔ−３−（４−ｔｅｒｔ−ブチルフェニル）−プロパナール（商品名＝リリアール／ジボダン社）、２，４−ジメチル−３−シクロヘキセン−１−カルボキシアルデヒドと３，５−ジメチル−３−シクロヘキセン−１−カルボキシアルデヒドの混合物（商品名＝トリプラール／アイエフエフ社または商品名＝リグストラール／クエスト社）、７−アセチル−１，２，３，４，５，６，７，８−オクタヒドロ−１，１，６，７−テトラメチルナフタレン（商品名＝イソ・イー・スーパー／アイエフエフ社）、１−（２，２−ジメチル−６−メチレン  シクロヘキシル）−１−ペンテン−３−オン（α−イソメチルイオノン）、酢酸ベンジル、酢酸ゲラニル、酢酸リナリル、ジヒドロジャスモン酸メチル、酢酸ｏ−ｔｅｒｔ−ブチルシクロヘキシル、γ−デカラクトン、１，４−ジオキサシクロヘプタデカン−５，１７−ジオン（エチレンブラシレート）、ラベンダー油、レモン油、パチュリ油等が挙げられる。また、登録実用新案第３０５４２５１号公報に記載のラバンジン、パイン、シトロネラ、クラリセージ等のハーブ油等の各種香料を用いることができる。
【００２２】
そして、上述の構成を有する本実施形態の化粧料容器１０によれば、蓋体１５を開封する操作を行う毎に、特別な他の操作を要することなく香料を放出して香りを漂わせることができ、特に化粧を施そうとする際に、香りによる快適感を高めて心地良く化粧を行うことができる。
【００２３】
すなわち、本実施形態の化粧料容器１０は、フックピース２１の押圧突片３４の移動領域に、フックピース２１の押圧方向Ｘに対向して圧力崩壊性を有するマイクロカプセルを多数保持した芳香シート片２０が取り付けられており、フックピース２１による蓋体１５の開封操作毎に、操作部１９からの圧力を受けて多数のマイクロカプセルが一部ずつ崩壊して香料を放出するようになっているので、化粧を施す際に必然的に行われる蓋体１５の開封操作に伴って香料が放出されることになり、香料を放出させる操作を忘れることなく、マイクロカプセルが香料を繰り返し放出させることが可能な間、化粧を施す毎に香料による香りを確実に漂わせて、快適感を高めつつ心地良く化粧を行うことが可能になる。
【００２４】
また、本実施形態によれば、香料を間欠的に放出させる手段として、香料が封入されたマイクロカプセルを多数保持したシート状の芳香シート片２０を用いているので、例えば一般に市販されているコンパクトケースと同等の形状及び大きさで化粧料容器１０を形成することが可能になる。さらに、圧力崩壊性を有するマイクロカプセルに封入された香料は、圧力というスイッチによって香料を放出させるので、圧力を加えるまでは放出することがなく、これによって使用前に香料がなくなってしまうのを回避して、使用時に確実に香りを漂わせることが可能になる。さらに、芳香シート片２０は、例えばレフィル収納凹部２５に嵌着されたレフィル容器２２の外周面といった他の物に触れにくい部分に容易に取り付けることができるので、予期しないときに圧力が加えられて香料を放出させることになるのを効果的に回避することが可能になる。
【００２５】
さらにまた、本実施形態によれば、化粧料収容部１２は、容器本体１１に着脱交換可能に装着されるレフィル容器２２による収容部となっており、このレフィル容器２２の側壁部２２ａの外周面に芳香シート片２０が取り付けられているので、所定回数繰り返し化粧料１６が使用されて、芳香シート片２０に保持された全てのマイクロカプセルが崩壊して香料を放出できなくなっても、例えばレフィル容器２２に収容された化粧料１６が無くなって新しいレフィル容器２２と交換する際に、これに伴って芳香シート片２０も新しいものと定期的に交換することが可能になり、これによって引き続き長期に亘って香料を放出させる機能を維持することが可能になる。
【００２６】
なお、本発明は上記実施形態に限定されることなく種々の変更が可能である。例えば、蓋体を開封操作するための蓋開封機構の操作部は、押圧ピースの押圧操作によるものである必要は必ずしも無く、例えば操作部がスライドピースのスライド操作によるものであり、芳香シート片がスライドピースのスライド移動領域に設けられていても良い。また、容器本体の化粧料収容部は、レフィル容器による交換可能な収容部である必要は必ずしも無く、容器本体に固定された収容部であっても良い。さらに、容器本体は、化粧料収容部と塗布具収容部とを隣接配置したものの他、中板を介在させて化粧料収容部の上方に塗布具収容部を設けたものであっても良い。例えば特開平９−７５１２９号に記載された二段型コンパクト容器のように、化粧料収容部を備える本体と、この上面を覆う蓋と、化粧料収容部の下面側に塗布具収容部を有する中枠部とをヒンジ結合したものの場合、蓋開封機構の操作部を押圧ピースまたはスライドピース等とし、化粧料収容部又は化粧料収容部のレフィル容器における操作部の移動領域に芳香シート片を設けたものであっても良い。尚、実開平６―４６６１３号に記載の化粧用コンパクト容器のように、操作部を例えば両側面に２箇所設け、かつ、操作部である押圧ピースが平面視コの字形状で、押圧ピースの押圧方向先端部を２箇所に備える場合には、全部で４つの押圧方向の先端部が押圧されて当たる４箇所の押圧方向の移動領域のうち、１〜４箇所に芳香シートを配置することができる。
【図面の簡単な説明】
【００２７】
【図１】本発明の好ましい一実施形態に係る化粧料容器を示す、図２のＣ−Ｃに沿った断面図である。
【図２】本発明の好ましい一実施形態に係る化粧料容器を示す、図１のＢ−Ｂに沿った断面図である。
【図３】（ａ）は蓋体を解放する前の状態を示す図１のＡ部拡大断面図、（ｂ）は蓋体を開放した状態を示す図１のＡ部拡大断面図である。
【符号の説明】
【００２８】
１０  化粧料容器
１１  容器本体
１２  化粧料収容部
１３  塗布具収容部
１４  蝶番部
１５  蓋体
１６  化粧料
１７  塗布具
１８  蓋開封機構
１９  操作部
２０  芳香シート片
２１  フックピース（押圧ピース）
２２  レフィル容器
２２ａ  レフィル容器（化粧料収容部）の側壁部
２３  容器本体の凹部
２４  仕切り壁
２５  レフィル収納凹部
２６  蓋体の枢着部
２７  軸ピン
２８  係着爪
３０  係着切欠き部
３１  フック対向周壁部
３２  係着突起
３３  フックピースの押上げ片
３４  フックピースの押圧突片
３５  押圧用挿通開口
３６  フックピースの押圧片
３７  フックピースのスライド片
Ｘ    操作部の押圧方向
【図１】
0005193625.tif 000002
【図２】
0005193625.tif 000003
【図３】
0005193625.tif 000004